(57)【要約】【課題】  放電性ガスの発光を利用した表示を行うことができる誘電体バリア放電管を用いた表示装置を提供する。【解決手段】  放電性ガスが封入された放電空間が内部に形成された筐体１１において、透明ガラスからなる蓋体１３の外面（表示面１３ａ）に透明放電電極１９を設け、同じく透明ガラスからなる底部１４の外面に透明放電電極２０を設けている。透明放電電極１９の放電部１９ｂと、透明放電電極２０の放電部２０ｂとをそれぞれ同一形状及び同一サイズの文字列とするとともに、放電性ガスを封入した放電空間を挟んで同じ位置に設けている。また、放電性ガスとして、可視光線を発生するものを用いている。【選択図】      図１
2006236624.tif 000002
【特許請求の範囲】
【請求項１】
放電性ガスが封入された放電空間を内部に形成する容器に、同放電空間を挟んで対向配置された一対の放電電極と、両放電電極間に配置された誘電体バリヤとを設けた誘電体バリア放電管を用いた表示装置であって、
前記容器の一部を透明絶縁体部とするとともにその外面を表示面とし、前記両放電電極のうちの少なくとも一方を透明放電電極とし、この透明放電電極を前記透明絶縁体部の外面又は内面に設け、前記両放電電極のうちの少なくとも一方を模様状とするとともに、前記放電性ガスとして可視光線を発するものを用いたことを特徴とする誘電体バリア放電管を用いた表示装置。
【請求項２】
前記透明放電電極を前記透明絶縁体部の外面に設け、同透明絶縁体部を前記誘電体バリアの少なくとも一部としたことを特徴とする請求項１に記載の誘電体バリア放電管を用いた表示装置。
【請求項３】
前記放電空間を挟んで前記透明絶縁体部と対向する容器の一部を絶縁体部とし、前記両放電電極のもう一方を同絶縁体部の外面に設け、前記透明絶縁体部と同絶縁体部とを前記誘電体バリアの少なくとも一部としたことを特徴とする請求項２に記載の誘電体バリア放電管を用いた表示装置。
【請求項４】
前記絶縁体部を透明とするとともに、前記放電電極を共に透明としたことを特徴とする請求項３に記載の誘電体バリア放電管を用いた表示装置。
【請求項５】
前記放電空間を挟んで前記透明絶縁体部と対向する容器の一部を絶縁体部とし、前記両放電電極のもう一方を同絶縁体部の内面に設けたことを特徴とする請求項２に記載の誘電体バリア放電管を用いた表示装置。
【請求項６】
前記放電空間を挟んで前記透明絶縁体部と対向する容器の一部を前記両放電電極のもう一方としたことを特徴とする請求項２に記載の誘電体バリア放電管を用いた表示装置。
【請求項７】
前記透明放電電極を前記透明絶縁体部の内面に設けたことを特徴とする請求項１に記載の誘電体バリア放電管を用いた表示装置。
【請求項８】
前記透明放電電極上に透明誘電体膜を形成し、同透明誘電体膜を前記誘電体バリアの少なくとも一部としたことを特徴とする請求項７に記載の誘電体バリア放電管を用いた表示装置。  
【請求項９】
前記放電空間を挟んで前記透明絶縁体部と対向する容器の一部を絶縁体部とし、前記両放電電極のもう一方を同絶縁体部の内面に設けたことを特徴とする請求項７又は請求項８に記載の誘電体バリア放電管を用いた表示装置。
【請求項１０】
前記両放電電極のもう一方の上に誘電体膜を形成し、同誘電体膜を前記誘電体バリアの少なくとも一部としたことを特徴とする請求項９に記載の誘電体バリア放電管を用いた表示装置。
【請求項１１】
前記両放電電極を、共に同一形状及び同一サイズの模様状とするとともに同じ位置に設けたことを特徴とする請求項１〜請求項１０のいずれか一項に記載の誘電体バリア放電管を用いた表示装置。
【請求項１２】
前記放電空間に臨む蛍光体膜を設けるとともに、前記放電性ガスとして同蛍光体膜を発光させる光線を発するものを用いたことを特徴とする請求項１〜請求項１１のいずれか一項に記載の誘電体バリア放電管を用いた表示装置。
【請求項１３】
前記放電性ガスの発光色と、前記蛍光体膜の発光色とを同一又は異ならしめたことを特徴とする請求項１２に記載の誘電体バリア放電管を用いた表示装置。
【請求項１４】
前記表示面が平面又は曲面となるように前記容器を構成したことを特徴とする請求項１〜請求項１３のいずれか一項に記載の誘電体バリア放電管を用いた表示装置。
【請求項１５】
前記透明絶縁体部を円筒状としたことを特徴とする請求項１４に記載の誘電体バリア放電管を用いた表示装置。  
【発明の詳細な説明】
【技術分野】
【０００１】
本発明は、対向配置された一対の誘電体平板間に、放電性ガスが封入された放電空間が形成されている誘電体バリア放電管を用いた表示装置に関するものである。なお、本明細書において、「模様」とは、文字、数字、記号、図形、図柄等を含む。
【背景技術】
【０００２】
従来、この種の誘電体バリア放電管としては特許文献１で開示される平面型放電管がある。この平面型放電管においては、対向配置された一対のガラス基板間に放電空間が形成されている。両ガラス基板の一方には、その外面に透明放電電極が、その内面に蛍光体膜がそれぞれ形成されている。また、両ガラス基板の他方の内面には透明放電電極が形成され、その上に蛍光体膜が形成されている。各透明放電電極には、その周縁に四角片状の導電体（通電電極）が取り付けられており、この導電体に給電用の電線が半田付けされている。
【特許文献１】特開２００３−３１１８２号公報
【発明の開示】
【発明が解決しようとする課題】
【０００３】
ところで、上記特許文献１に記載されたような平面型放電管は、放電空間全体を発光させるものであるため、単なる照明装置としての用途しかなく、文字、数字、記号、図形あるいは図柄といったような模様の表示装置としての機能は備えていなかった。
【０００４】
本発明は、上記課題を解決するためになされたものであって、その目的は、放電性ガスの発光を利用した模様表示を行うことができる誘電体バリア放電管を用いた表示装置を提供することにある。
【課題を解決するための手段】
【０００５】
上記の目的を達成するために、請求項１に記載の発明は、放電性ガスが封入された放電空間を内部に形成する容器に、同放電空間を挟んで対向配置された一対の放電電極と、両放電電極間に配置された誘電体バリヤとを設けた誘電体バリア放電管を用いた表示装置であって、前記容器の一部を透明絶縁体部とするとともにその外面を表示面とし、前記両放電電極のうちの少なくとも一方を透明放電電極とし、この透明放電電極を前記透明絶縁体部の外面又は内面に設け、前記両放電電極のうちの少なくとも一方を模様状とするとともに、前記放電性ガスとして可視光線を発するものを用いたことを特徴とする。
【０００６】
請求項２に記載の発明は、請求項１に記載の発明において、前記透明放電電極を前記透明絶縁体部の外面に設け、同透明絶縁体部を前記誘電体バリアの少なくとも一部としたことを特徴とする。
【０００７】
請求項３に記載の発明は、請求項２に記載の発明において、前記放電空間を挟んで前記透明絶縁体部と対向する容器の一部を絶縁体部とし、前記両放電電極のもう一方を同絶縁体部の外面に設け、前記透明絶縁体部と同絶縁体部とを前記誘電体バリアの少なくとも一部としたことを特徴とする。
【０００８】
請求項４に記載の発明は、請求項３に記載の発明において、前記絶縁体部を透明とするとともに、前記放電電極を共に透明としたことを特徴とする。
請求項５に記載の発明は、請求項２に記載の発明において、前記放電空間を挟んで前記透明絶縁体部と対向する容器の一部を絶縁体部とし、前記両放電電極のもう一方を同絶縁体部の内面に設けたことを特徴とする。
【０００９】
請求項６に記載の発明は、請求項２に記載の発明において、前記放電空間を挟んで前記透明絶縁体部と対向する容器の一部を前記両放電電極のもう一方としたことを特徴とする。
【００１０】
請求項７に記載の発明は、請求項１に記載の発明において、前記透明放電電極を前記透明絶縁体部の内面に設けたことを特徴とする。
請求項８に記載の発明は、請求項７に記載の発明において、前記透明放電電極上に透明誘電体膜を形成し、同透明誘電体膜を前記誘電体バリアの少なくとも一部としたことを特徴とする。
【００１１】
請求項９に記載の発明は、請求項７又は請求項８に記載の発明において、前記放電空間を挟んで前記透明絶縁体部と対向する容器の一部を絶縁体部とし、前記両放電電極のもう一方を同絶縁体部の内面に設けたことを特徴とする。
【００１２】
請求項１０に記載の発明は、請求項９に記載の発明において、前記両放電電極のもう一方の上に誘電体膜を形成し、同誘電体膜を前記誘電体バリアの少なくとも一部としたことを特徴とする。
【００１３】
請求項１１に記載の発明は、請求項１〜請求項１０のいずれか一項に記載の発明において、前記両放電電極を、共に同一形状及び同一サイズの模様状とするとともに同じ位置に設けたことを特徴とする。
【００１４】
請求項１２に記載の発明は、請求項１〜請求項１１のいずれか一項に記載の発明において、前記放電空間に臨む蛍光体膜を設けるとともに、前記放電性ガスとして同蛍光体膜を発光させる光線を発するものを用いたことを特徴とする。ここで、「光線」とは、蛍光体膜を発光させるものであればよく、少なくとも可視光線及び紫外線を含むものとする。
【００１５】
請求項１３に記載の発明は、請求項１２に記載の発明において、前記放電性ガスの発光色と、前記蛍光体膜の発光色とを同一又は異ならしめたことを特徴とする。
請求項１４に記載の発明は、請求項１〜請求項１３のいずれか一項に記載の発明において、前記表示面が平面又は曲面となるように前記容器を構成したことを特徴とする。
【００１６】
請求項１５に記載の発明は、請求項１４に記載の発明において、前記透明絶縁体部を円筒状としたことを特徴とする。
（作用）
請求項１〜請求項１５に記載の発明によれば、少なくとも一方を模様状とした一対の放電電極間に駆動電圧を印可すると、放電空間の全領域のうち両放電電極の模様状の対向部分間が模様状に放電する。そして、模様状の放電電極により表された模様が、透明絶縁体部及び透明放電電極を通じて表示面に発光表示される。従って、誘電体バリア放電管に模様の表示機能が付与される。
【００１７】
請求項１１に記載の発明によれば、請求項１〜請求項１０のいずれか一項に記載の発明の作用に加えて、放電空間において同一形状及び同一サイズの模様状である両放電電極間の領域以外の領域では放電が起きない。このため、模様を表示するために無用な放電を抑制することができる。
【００１８】
請求項１２，１３に記載の発明によれば、請求項１〜請求項１１のいずれか一項に記載の発明の作用に加えて、放電空間における放電性ガスの発光色と、蛍光体膜の発光色とを適宜組み合わせることにより、模様をより多色あるいはより多彩に表示することができる。これは、放電空間における発光色と、蛍光体膜の発光色とを異ならせたときにより顕著となる。また、放電電極による模様と同一形状及び同一サイズの模様を蛍光体で表すとともに、この蛍光体膜と同放電電極とを同じ位置に配置することにより、模様をよりくっきりと表示することができる。
【発明の効果】
【００１９】
本発明によれば、模様状の両放電電極間において放電性ガスが模様状に発光することにより、文字、数字、記号、図形あるいは図柄等の模様の表示機能が誘電体バリア放電管に付与される。従って、放電性ガスの発光を利用した模様表示を行うことができる誘電体バリア放電管を用いた表示装置を提供することができる。
【発明を実施するための最良の形態】
【００２０】
（第１実施形態）
次に、本発明を具体化した第１実施形態を図１及び図２に従って説明する。
図１及び図２（ａ），（ｂ）に示すように、本実施形態の平面型放電管を用いた表示装置１０は、扁平な筐体（容器）１１からなり、この筐体１１は、一方面が開口した有底の箱本体１２と、この箱本体１２の開口部を閉塞する四角平板状の蓋体１３とを備えている。蓋体１３の表面は、表示面１３ａとされている。箱本体１２は、平板状の底部１４と、その周縁の枠状の側壁部１５とからなる。箱本体１２及び蓋体１３はともに透明ガラス等の透明誘電体により形成されており、低融点ガラスフリットを用いて互いに接合されている。そして、筐体１１において、蓋体１３と、箱本体１２の底部１４とは互いに平行をなすとともに、側壁部１５により設定される間隔を隔てて対向配置されている。また、筐体１１内において、蓋体１３と底部１４との間には、放電性ガスとしての不活性ガスが封入された放電空間１６（図２（ｂ）に図示）が形成されている。この不活性ガスは、紫外線及び可視光線を発生するものである。このような不活性ガスとしては、例えば、Ｎｅ、Ａｒ、Ｈｅ、Ｋｒの希ガスや、Ｎ２、Ｏ２等の分子ガスがある。また、Ｋｒ−Ｆ、Ｋｒ−Ｃｌ、Ｘｅ−Ｆ、Ｘｅ−Ｃｌその他上記希ガスや分子ガスの混合ガスや、Ｚｎ、Ｃｄ、Ｈｇ、Ｎａ等の金属を希ガスと混合することで蒸気化させた金属ガス（金属蒸気）がある。本実施形態では、底部１４が絶縁体部であり、蓋体１３及び底部１４が誘電体バリアを構成する。
【００２１】
蓋体１３の外面（図１における上面）には透明放電電極１９が設けられ、底部１４の外面（図１における下面）には、透明放電電極１９と対向する透明放電電極２０が設けられている。放電電極としての各透明放電電極１９，２０は、例えば酸化インジウムスズ（ＩＴＯ：Indium Tin Oxide）、酸化スズ又は酸化亜鉛をスパッタリング、蒸着、ＣＶＤ（Chemical Vapor Deposition ：化学気相蒸着法）、又は塗布とすることにより形成されている。すなわち、両透明放電電極１９，２０間には、誘電体バリアとして蓋体１３及び底部１４が配置されている。
【００２２】
透明放電電極１９は、蓋体１３外面の周縁に沿って延びる基部１９ａと、模様としての文字列を構成する放電部１９ｂと、基部１９ａと放電部１９ｂとを繋ぐ接続部１９ｃとから構成されている。詳述すると、放電部１９ｂは複数の部分からなり、各部分により模様としての文字列を構成する各文字が表されている。基部１９ａの端部には、透明放電電極１９に給電するための通電電極２１ａが接合され、この通電電極２１ａには給電用の電線（図２（ａ），（ｂ）に図示）２２ａが半田付けされている。すなわち、基部１９ａは、電線２２ａを透明放電電極１９に接続するために設けられ、放電部１９ｂは、放電空間１６の全領域のうち放電部１９ｂと対面する領域を文字列状に放電させるために設けられている。また、接続部１９ｃは、基部１９ａから放電部１９ｂに給電するために設けられている。
【００２３】
また、前記透明放電電極２０は、透明放電電極１９と同様に、底部１４外面の周縁に沿って延びる基部２０ａと、前記放電部１９ｂと同一の文字列を構成する放電部２０ｂと、基部２０ａと放電部２０ｂとを繋ぐ接続部２０ｃとから構成されている。詳述すると、放電部２０ｂは、放電部１９ｂと同様に複数の部分からなり、各部分により模様としての文字列を構成する各文字が表されている。放電部２０ｂが表す文字列の各文字は、放電部１９ｂが表す文字列の各文字と同一形状及び同一サイズとされている。また、放電部２０ｂが表す文字列の各文字と、放電部１９ｂが表す文字列の各文字とは同じ位置に設けられている。一方、基部２０ａ及び接続部２０ｃは、前記基部１９ａ及び接続部１９ｃとは異なる位置に設けられている。基部２０ａの端部には、透明放電電極２０に給電するための通電電極２１ｂが接合され、通電電極２１ｂには給電用の電線２２ｂが半田付けされている。そして、基部２０ａ、放電部２０ｂ及び接続部２０ｃは、それぞれ基部１９ａ、放電部１９ｂ及び接続部１９ｃと同じ機能を有する。
【００２４】
さて、以上のように構成された表示装置１０において、両通電電極２１ａ，２１ｂを介して両透明放電電極１９，２０間に駆動電圧を印可すると、両放電部１９ｂ，２０ｂ間において放電空間１６が文字列状に放電する。そして、放電部１９ｂ，２０ｂにより表された文字列が、透明な蓋体１３及び透明放電電極１９を通じて表示面１３ａに発光表示される。
【００２５】
従って、本実施形態によれば、以下の効果を得ることができる。
（１）  文字列の模様を表した両放電部１９ｂ，２０ｂにより、その文字列が発光表示される。従って、平面型放電管を、単なる照明装置としてのみならず、文字列の表示装置１０として用いることができる。
【００２６】
（２）  透明放電電極１９の放電部１９ｂと、透明放電電極２０の放電部２０ｂとを同一形状及び同一サイズの文字列とするとともに同じ位置に設けたので、放電空間１６において文字列状の両放電部１９ｂ，２０ｂ間の領域以外の領域では放電が発生しない。このため、文字列を表示するために無用な放電を抑制し、無駄な電力消費を低減することができる。
【００２７】
（３）  一対の透明放電電極１９，２０の両放電部１９ｂ，２０ｂを共に文字列としたので、消灯時には文字列が殆ど見えない状態となる。このため、消灯時にはただの透明ガラスに見える筐体１１に、点灯時にのみ文字列を浮かび上がらせることができる。
【００２８】
（第２実施形態）
次に、本発明を具体化した第２実施形態を図３及び図４（ａ），（ｂ）に従って説明する。本実施形態は、前記第１実施形態の構成に蛍光体膜２３，２４を加えたことのみが第１実施形態と異なる。従って、第１実施形態と同じ構成については、符号を同じにしてその説明を省略する。
【００２９】
図３及び図４（ａ），（ｂ）に示すように、蓋体１３の内面には、透明放電電極１９の放電部１９ｂと対向するように蛍光体膜２３が設けられている。同蛍光体膜２３は、放電部１９ｂと同じ文字列をなすように形成されている。また、底部１４の内面には、透明放電電極２０の放電部２０ｂと対向するように蛍光体膜２４が設けられている。同蛍光体膜２４は、放電部２０ｂと同じ文字列をなすように構成されている。すなわち、両蛍光体膜２３，２４は、両放電部１９ｂ，２０ｂと同一形状及び同一サイズとされるとともに同じ位置に設けられている。また、この両蛍光体膜２３，２４としては、放電性ガスが発する紫外線又は可視光線により発光するものや、紫外線及び可視光線の両方により発光するものを用いることができる。また、両蛍光体膜２３，２４の発光色は、放電性ガスの発光色とほぼ同じ色でもよく、また、異なる色であってもよい。なお、両蛍光体膜２３，２４の発光色は、放電性ガスの発光色とを異ならせるときには、放電性ガスとして例えばキセノンとアルゴンの混合ガス、あるいはアルゴンと水銀の混合ガスを用いればよい。
【００３０】
さて、以上のように構成された表示装置１０において、両放電部１９ｂ，２０ｂ間に文字列状の放電状態が発生すると、両放電部１９ｂ，２０ｂ間の放電性ガスから紫外線及び可視光線が発生する。そして、この紫外線により各蛍光体膜２３，２４も文字列状に発光する。この結果、両放電部１９ｂ，２０ｂ及び両蛍光体膜２３，２４により表された各文字列が、透明な蓋体１３及び透明放電電極１９を通じて表示面１３ａに発光表示される。
【００３１】
さて、以上のように構成された表示装置１０においては、前記第１実施形態の（１），（２）に記載した効果の他、下記の効果も得ることができる。
（４）  蓋体１３及び底部１４の内面に、両放電部１９ｂ，２０ｂの間に位置する蛍光体膜２３，２４を設けた。このため、両放電部１９ｂ，２０ｂ間において放電空間１６を文字列状に発光させるとともに両蛍光体膜２３，２４をも文字列状に発光させることができる。従って、放電空間１６における発光色と、両蛍光体膜２３，２４の発光色とを適宜組み合わせることにより、より多色あるいはより多彩に文字列を表示することができる。また、放電電極１９，２０の放電部１９ｂ，２０ｂと両蛍光体膜２３，２４とを同一形状及び同一サイズとするとともに同じ位置に設けたので、放電性ガスと異なり境界の明確な両蛍光体膜２３，２４により文字列をよりくっきりと表示することができる。
【００３２】
（変形例）
なお、前記各実施形態は、次のように変更して実施してもよい。なお、以下の図７〜図１０に示す各断面図は、図４（ｂ）の断面図に相当する。
【００３３】
・  前記各実施形態及び各変形例において、「文字列」なる記載は全て模様としての文字列であって、数字、記号、図形又は図柄であってもよい。
・  図３に二点鎖線で示すように、各放電部１９ｂ，２０ｂのサイズを、蛍光体膜２３，２４のサイズよりも大きくしてもよい。また、図示はしないが、逆に、各放電部１９ｂ，２０ｂのサイズを、蛍光体膜２３，２４のサイズよりも小さくしてもよい。
【００３４】
・  図５に示すように、第１又は第２実施形態において、透明放電電極２０の放電部２０ｂを、透明放電電極１９の放電部１９ｂを含む蓋体１３の領域に対応する範囲に形成してもよい。この構成においても、放電空間１６において放電部１９ｂに対面する領域により、文字列が発光表示される。この場合にも、放電空間１６において、文字列の表示に寄与しない領域での放電を極力なくすことができる。
【００３５】
・  図６に示すように、両放電電極の一方を、例えば第１実施形態における蓋体１３の外面のほぼ全面に形成される透明放電電極２５とし、他方を、同じく箱本体１２における底部１４の外面のほぼ全面に形成される透明放電電極２６とする。透明放電電極２５の中央部には、透明放電電極２５の一部を文字列状に切り抜いた切抜部２７を形成する。透明放電電極２６の中央部には、切抜部２７と同様に形成されるとともに切抜部２７に対面する切抜部２８を形成する。但し、文字「Ｐ」のように、各透明放電電極２５，２６から切り離されてしまう部分が存在する場合には、このような部分を各透明放電電極２５，２６に接続するための接続部を設ける。この実施形態では、各透明放電電極２５，２６において切抜部２７，２８を除く部分が模様状をなしている。このような構成では、透明放電電極２５，２６の放電空間１６において両切抜部２７，２８間の領域を除く範囲が発光し、両切抜部２７，２８により表される文字列が表示される。
【００３６】
・  図７（ａ）に示すように、透明絶縁体部としての蓋体１３の内面に前記透明放電電極１９を設けるとともに、この透明放電電極１９を放電空間１６内においてＭｇＯ、ＳｉＯ2 、ＺｎＳ、ＭｇＦ2 等やその他の誘電体薄膜による透明保護膜３０により被覆した構成としている。一方、箱本体１２の底部１４の外面には、第１実施形態と同様の透明放電電極２０を設けている。なお、透明放電電極１９は、箱本体１２と蓋体１３との間から外部に引き出されている。この場合は、透明保護膜３０及び底部１４が誘電体バリアを構成する。このような構成によれば、透明放電電極１９を放電空間１６内に設け得るとともに、透明放電電極１９から生ずるスパッタリングの悪影響を防止し、これに起因するガス圧の低下等の支障を防止することができる。
【００３７】
・  図７（ｂ）に示すように、容器としての筐体１１を、いずれも透明ガラスからなる前面誘電体平板３１と背面誘電体平板３２とを枠部材３３を挟んで接合することで構成している。透明絶縁体部としての前面誘電体平板３１の内面には、図７（ａ）と同様の透明放電電極１９及び透明保護膜３０を設けている。また、絶縁体部としての背面誘電体平板３２の内面にも同様な構成の透明放電電極２０及び透明保護膜３０を設けている。すなわち、この場合は、透明放電電極１９上の透明保護膜３０と、透明放電電極２０上の透明保護膜３０とが誘電体バリアを構成する。そして、両放電部１９ｂ，２０ｂ間の放電が、前面誘電体平板３１の表示面３１ａにおいて文字列状に表示される。なお、透明放電電極１９，２０はそれぞれ各誘電体平板３１，３２と枠部材３３との間からそれぞれ外部に引き出されている。
【００３８】
・  図８（ａ）に示すように、前記第１実施形態の構成に加えて、底部１４の内面全体に、放電空間１６に臨む蛍光体膜３４を設けてもよい。
・  図８（ｂ）に示すように、第１実施形態の構成において、透明放電電極２０に代えて、底部１４の外面全体に透明放電電極３５を設けてもよい。また、透明放電電極２０に代えて、底部１４の外面全体に不透明な金属電極（放電電極）３６を設けてもよい。この場合は、蓋体１３及び底部１４が誘電体バリアを構成する。
【００３９】
・  図９（ａ）に示すように、放電空間１６が内部に設けられた容器としての筐体１１を、透明絶縁体部及び誘電体バリアとしての前面誘電体平板３１、放電電極としての金属平板３７及び枠部材３３により構成している。前面誘電体平板３１の外面には、第１実施形態と同様の透明放電電極１９を形成する。この場合、金属平板３７は、筐体１１の一部であるとともに放電電極となる。
【００４０】
・  図９（ｂ）に示すように、容器としての筐体１１を、透明絶縁体部及び誘電体バリアとしての前面誘電体平板３１と、絶縁体部としての絶縁体平板３８と、枠部材３３とにより構成している。前面誘電体平板３１の外面には、第１実施形態と同様の透明放電電極１９を形成する。一方、絶縁体平板３８の内面には、例えば図５に示すような透明放電電極２０を形成している。この絶縁体平板３８としては、例えばセラミック、陶磁器材、コンクリート、木材等を用いることができる。
【００４１】
・  図１０（ａ）に示すように、透明絶縁体部としての前面誘電体平板３１の内面に、図７（ａ）と同様に透明放電電極１９及び透明保護膜３０をそれぞれ形成する。一方、背面誘電体平板３２の内面に形成した透明放電電極２０には透明保護膜３０を形成しない。この場合には、透明放電電極１９上の透明保護膜３０が誘電体バリアとなる。
【００４２】
・  図１０（ｂ）に示すように、前面誘電体平板３１の表示面３１ａが凸面（曲面）となるように筐体１１全体を構成している。逆に、表示面３１ａが凹面（曲面）となるように構成してもよい。
【００４３】
また、表示面が球面状の凸面（曲面）又は凹面（曲面）となるように構成してもよい。
・  図１１（ａ），（ｂ）に示すように、表示装置４０を、同軸線上に配置された大小２つの有底円筒状のガラス体４１，４２からなり、両ガラス体４１，４２間に円筒状の放電空間４３が形成された円筒型の誘電体バリア放電管とする。この表示装置４０において、外側に配置される透明絶縁体部としてのガラス体４１の外面（表示面４１ａ）には透明放電電極４４を形成し、この透明放電電極４４には文字列状の放電部４４ａを設ける。また、ガラス体４１の内側に配置される絶縁体部としてのガラス体４２の外面（表示装置４０の内面）には、透明放電電極４５を形成している。そして、この透明放電電極４５は、透明放電電極４４の放電部４４ａを含む領域に対応する範囲に形成されている。この表示装置４０によれば、放電空間４３において放電部４４ａと透明放電電極４５との間の領域が放電することにより、ガラス体４１の表示面４１ａに文字列が表示される。
【図面の簡単な説明】
【００４４】
【図１】第１実施形態の表示装置を示す分解斜視図。
【図２】（ａ）は表示装置を示す正面図、（ｂ）は（ａ）におけるａ−ａ線断面図。
【図３】第２実施形態の表示装置を示す分解斜視図。
【図４】（ａ）は表示装置を示す正面図、（ｂ）は（ａ）におけるｂ−ｂ線断面図。
【図５】透明放電電極の変形例を示す斜視図。
【図６】透明放電電極の変形例を示す斜視図。
【図７】（ａ），（ｂ）は共に表示装置の変形例を示す縦断面図。
【図８】（ａ），（ｂ）は共に表示装置の変形例を示す縦断面図。
【図９】（ａ），（ｂ）は共に表示装置の変形例を示す縦断面図。
【図１０】（ａ），（ｂ）は共に表示装置の変形例を示す縦断面図。
【図１１】（ａ）は表示装置の変形例を示す正面図、（ｂ）は（ａ）におけるｃ−ｃ線断面図。
【符号の説明】
【００４５】
１０…表示装置、１１…容器としての筐体、１２…容器を構成する箱本体、１３…容器及び誘電体バリアを構成する透明絶縁体部としての蓋体、１３ａ…表示面、１４…誘電体バリアを構成する絶縁体部としての底部、１６…放電空間、１９…放電電極としての透明放電電極、１９ｂ…放電部、２０…放電電極としての透明放電電極、２０ｂ…放電部、２３，２４…蛍光体膜、２５，２６…放電電極としての透明放電電極、３０…誘電体膜としての透明保護膜、３１…容器及び誘電体バリアを構成する透明絶縁体部としての前面誘電体平板、３１ａ…表示面、３２…容器及び誘電体バリアを構成する絶縁体部としての背面誘電平板、３３…容器を構成する枠部材、３４…蛍光体膜、３５…放電電極としての透明放電電極、３６…放電電極としての金属電極、３７…容器を構成する放電電極としての金属平板、３８…容器を構成する絶縁体平板、４０…表示装置、４１…誘電体バリアを構成する透明絶縁体部としてのガラス体、４１ａ…表示面、４２…同じくガラス体、４３…放電空間、４４，４５…放電電極としての透明放電電極。
【図１】
2006236624.tif 000003
【図２】
2006236624.tif 000004
【図３】
2006236624.tif 000005
【図４】
2006236624.tif 000006
【図５】
2006236624.tif 000007
【図６】
2006236624.tif 000008
【図７】
2006236624.tif 000009
【図８】
2006236624.tif 000010
【図９】
2006236624.tif 000011
【図１０】
2006236624.tif 000012
【図１１】
2006236624.tif 000013